(57)【要約】      （修正有）【課題】各宿泊部屋の配置位置と夫々の部屋内の様子をユーザに提示する宿泊予約登録システムを提供する。【解決手段】複数の宿泊部屋を備える宿泊施設に関する情報をネットワークを介して端末装置に提供し、当該端末装置からの要求に応じて宿泊予約登録を行う宿泊予約登録装置であって、前記複数の宿泊施設のうちユーザにより指定された宿泊施設指定情報を受信し、当該宿泊施設に対応する各宿泊部屋の配置位置を含む一覧画面データを、前記端末装置に送信する一覧画面送信手段と、ユーザにより指定された宿泊部屋指定情報を受信し、当該宿泊部屋に対応する宿泊部屋画面データを、前記端末装置に送信する宿泊部屋画面送信手段と、当該宿泊部屋の宿泊予約要求を示す宿泊予約要求情報を受信し、当該宿泊予約要求情報に示される宿泊部屋に対する宿泊予約登録手段と、を備える。【選択図】図７
2008052506.tif 000002
【特許請求の範囲】
【請求項１】
ネットワークに接続可能な端末装置と、
複数の宿泊部屋を備える宿泊施設に関する情報を前記ネットワークを介して前記端末装置に提供し、当該端末装置からの要求に応じて宿泊予約登録を行う宿泊予約登録装置と、
各前記宿泊部屋の配置位置を示す配置データと、前記各宿泊部屋における部屋内を表す部屋内画像のデータと、が対応付けられ、複数の宿泊施設毎に判別可能に登録されるデータベースと、
を備える宿泊予約登録システムであって、
前記宿泊予約登録装置は、
前記複数の宿泊施設のうちユーザにより指定された一の宿泊施設を示す宿泊施設指定情報を、前記端末装置から前記ネットワークを介して受信する宿泊施設指定情報受信手段と、
前記宿泊施設指定情報に示された前記宿泊施設に対応する前記配置データを前記データベースから取得し、当該配置データに示される前記各宿泊部屋の配置位置を表し、且つ前記各宿泊部屋を指定可能とする宿泊部屋の一覧画面を構成するための一覧画面データを、前記ネットワークを介して前記端末装置に送信する一覧画面送信手段と、
前記端末装置において表示された前記一覧画面上に配置位置が表された前記複数の宿泊部屋のうちユーザにより指定された一の宿泊部屋を示す宿泊部屋指定情報を、当該端末装置から前記ネットワークを介して受信する宿泊部屋指定情報受信手段と、
前記宿泊部屋指定情報に示された宿泊部屋に対応する前記部屋内画像のデータを前記データベースから取得し、当該部屋内画像が含まれる宿泊部屋画面を構成するための宿泊部屋画面データを、前記ネットワークを介して前記端末装置に送信する宿泊部屋画面送信手段と、
前記端末装置において表示された前記部屋内画像に対応する宿泊部屋の宿泊予約要求を示す宿泊予約要求情報を、当該端末装置から前記ネットワークを介して受信する宿泊予約要求受信手段と、
前記宿泊予約要求情報を送信した前記端末装置のユーザを特定し、当該ユーザに対して、当該宿泊予約要求情報に示される宿泊部屋の宿泊予約登録を行う宿泊予約登録手段と、
を備え、
前記端末装置は、
前記宿泊施設指定情報を前記宿泊予約登録装置に送信する宿泊施設指定情報送信手段と、
前記宿泊予約登録装置から送信されてきた前記一覧画面データを受信する一覧画面受信手段と、
前記一覧画面を表示する一覧画面表示手段と、
前記宿泊部屋指定情報を前記宿泊予約登録装置に送信する宿泊部屋指定情報送信手段と、
前記宿泊予約登録装置から送信されてきた前記宿泊部屋画面データを受信する宿泊部屋画面受信手段と、
前記宿泊部屋画面を表示する宿泊部屋画面表示手段と、
前記宿泊予約要求情報を前記宿泊予約登録装置に送信する宿泊予約要求情報送信手段と、
を備えることを特徴とする宿泊予約登録システム。
【請求項２】
複数の宿泊部屋を備える宿泊施設に関する情報をネットワークを介して端末装置に提供し、当該端末装置からの要求に応じて宿泊予約登録を行う宿泊予約登録装置であって、
各前記宿泊部屋の配置位置を示す配置データと、前記各宿泊部屋における部屋内を表す部屋内画像のデータと、が対応付けられ、複数の宿泊施設毎に判別可能に登録されるデータベースにアクセスするデータベースアクセス手段と、
前記複数の宿泊施設のうちユーザにより指定された一の宿泊施設を示す宿泊施設指定情報を、前記端末装置から前記ネットワークを介して受信する宿泊施設指定情報受信手段と、
前記宿泊施設指定情報に示された前記宿泊施設に対応する前記配置データを前記データベースから取得し、当該配置データに示される前記各宿泊部屋の配置位置を表し、且つ前記各宿泊部屋を指定可能とする宿泊部屋の一覧画面を構成するための一覧画面データを、前記ネットワークを介して前記端末装置に送信する一覧画面送信手段と、
前記端末装置において表示された前記一覧画面上に配置位置が表された前記複数の宿泊部屋のうちユーザにより指定された一の宿泊部屋を示す宿泊部屋指定情報を、当該端末装置から前記ネットワークを介して受信する宿泊部屋指定情報受信手段と、
前記宿泊部屋指定情報に示された宿泊部屋に対応する前記部屋内画像のデータを前記データベースから取得し、当該部屋内画像が含まれる宿泊部屋画面を構成するための宿泊部屋画面データを、前記ネットワークを介して前記端末装置に送信する宿泊部屋画面送信手段と、
前記端末装置において表示された前記部屋内画像に対応する宿泊部屋の宿泊予約要求を示す宿泊予約要求情報を、当該端末装置から前記ネットワークを介して受信する宿泊予約要求受信手段と、
前記宿泊予約要求情報を送信した前記端末装置のユーザを特定し、当該ユーザに対して、当該宿泊予約要求情報に示される宿泊部屋の宿泊予約登録を行う宿泊予約登録手段と、
を備えることを特徴とする宿泊予約登録装置。
【請求項３】
請求項２に記載の宿泊予約登録装置において、
前記データベースに登録された前記各部屋内画像は、所定位置に外部へ通じる窓が設置された部屋内を表す画像であって、当該各部屋内画像には、夫々の前記窓の位置から視認可能な部屋外の風景を表す風景画像のデータが対応付けられて前記データベースに登録されており、
前記端末装置において表示された前記部屋内画像における前記窓が前記ユーザにより指定された場合に、当該指定された窓を示す窓指定情報を、当該端末装置から前記ネットワークを介して受信する窓指定情報受信手段と、
前記窓指定情報に示された窓に対応する前記風景画像のデータを前記データベースから取得し、当該風景画像が含まれる風景画面を構成するための風景画面データを、前記ネットワークを介して前記端末装置に送信する風景画面送信手段と、
を更に備えることを特徴とする宿泊予約登録装置。
【請求項４】
請求項３に記載の宿泊予約登録装置において、
前記風景画像は、前記部屋内画像における前記窓領域の面積よりも広い面積を有することを特徴とする宿泊予約登録装置。
【請求項５】
請求項３又は４に記載の宿泊予約登録装置において、
前記データベースに登録された各前記風景画像には、内容を時間の経過にしたがって複数に区分可能な区分情報において当該区分された複数の区分内容のうち一の前記区分内容が割り当てられており、
前記風景画面送信手段は、前記窓指定情報に示された窓に対応する前記風景画像を前記データベースから特定し、当該特定された風景画像に割り当てられた前記区分情報における区分内容が、現時点又は現時点から所定期間経過時点の前記区分情報における区分内容を満たす風景画像を選定し、前記選定された風景画像が含まれる風景画面を構成するための風景画面データを、前記ネットワークを介して前記端末装置に送信することを特徴とする宿泊予約登録装置。
【請求項６】
請求項５に記載の宿泊予約登録装置において、
前記区分情報は、暦、時間帯、季節、気温、天候、及び行事のうち少なくとも何れか一つであることを特徴とする宿泊予約登録装置。
【請求項７】
請求項５又は６に記載の宿泊予約登録装置において、
前記区分情報には複数種類あり、前記風景画像に対して夫々の前記区分情報における一の区分内容が割り当てられており、
前記風景画面送信手段は、前記特定された風景画像に割り当てられた夫々の区分情報における区分内容が、現時点又は現時点から所定期間経過時点の夫々の区分情報における区分内容を満たす風景画像を選定することを特徴とする宿泊予約登録装置。
【請求項８】
複数の宿泊部屋を備える宿泊施設に関する情報をネットワークを介して端末装置に提供し、当該端末装置からの要求に応じて宿泊予約登録を行う宿泊予約登録装置における宿泊予約登録方法であって、
各前記宿泊部屋の配置位置を示す配置データと、前記各宿泊部屋における部屋内を表す部屋内画像のデータと、が対応付けられ、複数の宿泊施設毎に判別可能に登録されるデータベースにアクセスするデータベースアクセス工程と、
前記複数の宿泊施設のうちユーザにより指定された一の宿泊施設を示す宿泊施設指定情報を、前記端末装置から前記ネットワークを介して受信する宿泊施設指定情報受信工程と、
前記宿泊施設指定情報に示された前記宿泊施設に対応する前記配置データを前記データベースから取得し、当該配置データに示される前記各宿泊部屋の配置位置を表し、且つ前記各宿泊部屋を指定可能とする宿泊部屋の一覧画面を構成するための一覧画面データを、前記ネットワークを介して前記端末装置に送信する一覧画面送信工程と、
前記端末装置において表示された前記一覧画面上に配置位置が表された前記複数の宿泊部屋のうちユーザにより指定された一の宿泊部屋を示す宿泊部屋指定情報を、当該端末装置から前記ネットワークを介して受信する宿泊部屋指定情報受信工程と、
前記宿泊部屋指定情報に示された宿泊部屋に対応する前記部屋内画像のデータを前記データベースから取得し、当該部屋内画像が含まれる宿泊部屋画面を構成するための宿泊部屋画面データを、前記ネットワークを介して前記端末装置に送信する宿泊部屋画面送信工程と、
前記端末装置において表示された前記部屋内画像に対応する宿泊部屋の宿泊予約要求を示す宿泊予約要求情報を、当該端末装置から前記ネットワークを介して受信する宿泊予約要求受信工程と、
前記宿泊予約要求情報を送信した前記端末装置のユーザを特定し、当該ユーザに対して、当該宿泊予約要求情報に示される宿泊部屋の宿泊予約登録を行う宿泊予約登録工程と、
を備えることを特徴とする宿泊予約登録方法。
【請求項９】
請求項２乃至７の何れか一項に記載の宿泊予約登録装置として機能させることを特徴とする宿泊予約登録処理プログラム。
【発明の詳細な説明】
【技術分野】
【０００１】
本発明は、複数の宿泊部屋を備える宿泊施設に関する情報を、インターネット等のネットワークを介して端末装置に提供し、当該端末装置からの要求に応じて宿泊予約登録を行う装置の技術分野に関する。
【背景技術】
【０００２】
従来から、パーソナルコンピュータ等の端末装置を用いてインターネットに接続し、Ｗｅｂサーバ等から提供されるＷｅｂページ等の情報を通じて宿泊施設の宿泊予約を行うことができるようになっている（例えば、特許文献１）。このような場合、宿泊施設の提供者（宿泊施設側）は、例えば、Ｗｅｂサーバ等を用いて自身の宿泊施設の宿泊サービスに関するサービス情報を提供（紹介）するサイトを運営し、当該サイト上において宿泊予約も行えるようにしている。
【０００３】
また、近年、複数の宿泊施設から委託を受けた旅行代理店等の代行者が、Ｗｅｂサーバ装置等を用いて自己が運営する旅行サイトにおいて、宿泊施設に代わって上記サービス情報を提供し、宿泊予約を受け付けるシステムも知られている。
【０００４】
このようなサービス情報には、一般に、宿泊施設に備えられる代表的な宿泊部屋内等の写真画像が含まれており、かかる写真画像は、文字の説明よりも、当該宿泊施設を検索している者や利用しようとしている者に対して与える印象が大きく、それらの者を引き付け易いという効果があり非常に有用である。
【特許文献１】特開２００２−２３６８３３号公報
【発明の開示】
【発明が解決しようとする課題】
【０００５】
しかしながら、従来、Ｗｅｂページ上で提供されるサービス情報では、宿泊施設に複数備えられる各宿泊部屋の配置位置と夫々の部屋内の様子が、ユーザにとって判らないという問題があった。
【０００６】
加えて、各宿泊部屋の配置位置に対応して、それらの宿泊部屋の窓からどのような風景が見えるか、更に言えば、例えば季節毎にどのような風景が見えるか、ユーザにとって判らないという問題があった。
【０００７】
このような問題は、上記ユーザにとって、宿泊施設の宿泊予約を躊躇させる結果に繋がることが想定される。
【０００８】
本発明は、以上の点に鑑みてなされたものであり、各宿泊部屋の配置位置と夫々の部屋内の様子、また、各宿泊部屋の配置位置に対応して宿泊部屋の窓からどのような風景が見えるかをユーザに対して判りやすく提示することが可能な宿泊予約登録システム、宿泊予約登録装置、宿泊予約登録方法、及び宿泊予約登録処理プログラムを提供することを目的とする。
【課題を解決するための手段】
【０００９】
上記課題を解決するために、請求項１に記載の発明は、ネットワークに接続可能な端末装置と、複数の宿泊部屋を備える宿泊施設に関する情報を前記ネットワークを介して前記端末装置に提供し、当該端末装置からの要求に応じて宿泊予約登録を行う宿泊予約登録装置と、各前記宿泊部屋の配置位置を示す配置データと、前記各宿泊部屋における部屋内を表す部屋内画像のデータと、が対応付けられ、複数の宿泊施設毎に判別可能に登録されるデータベースと、を備える宿泊予約登録システムであって、前記宿泊予約登録装置は、前記複数の宿泊施設のうちユーザにより指定された一の宿泊施設を示す宿泊施設指定情報を、前記端末装置から前記ネットワークを介して受信する宿泊施設指定情報受信手段と、前記宿泊施設指定情報に示された前記宿泊施設に対応する前記配置データを前記データベースから取得し、当該配置データに示される前記各宿泊部屋の配置位置を表し、且つ前記各宿泊部屋を指定可能とする宿泊部屋の一覧画面を構成するための一覧画面データを、前記ネットワークを介して前記端末装置に送信する一覧画面送信手段と、前記端末装置において表示された前記一覧画面上に配置位置が表された前記複数の宿泊部屋のうちユーザにより指定された一の宿泊部屋を示す宿泊部屋指定情報を、当該端末装置から前記ネットワークを介して受信する宿泊部屋指定情報受信手段と、前記宿泊部屋指定情報に示された宿泊部屋に対応する前記部屋内画像のデータを前記データベースから取得し、当該部屋内画像が含まれる宿泊部屋画面を構成するための宿泊部屋画面データを、前記ネットワークを介して前記端末装置に送信する宿泊部屋画面送信手段と、前記端末装置において表示された前記部屋内画像に対応する宿泊部屋の宿泊予約要求を示す宿泊予約要求情報を、当該端末装置から前記ネットワークを介して受信する宿泊予約要求受信手段と、前記宿泊予約要求情報を送信した前記端末装置のユーザを特定し、当該ユーザに対して、当該宿泊予約要求情報に示される宿泊部屋の宿泊予約登録を行う宿泊予約登録手段と、を備え、前記端末装置は、前記宿泊施設指定情報を前記宿泊予約登録装置に送信する宿泊施設指定情報送信手段と、前記宿泊予約登録装置から送信されてきた前記一覧画面データを受信する一覧画面受信手段と、前記一覧画面を表示する一覧画面表示手段と、前記宿泊部屋指定情報を前記宿泊予約登録装置に送信する宿泊部屋指定情報送信手段と、前記宿泊予約登録装置から送信されてきた前記宿泊部屋画面データを受信する宿泊部屋画面受信手段と、前記宿泊部屋画面を表示する宿泊部屋画面表示手段と、前記宿泊予約要求情報を前記宿泊予約登録装置に送信する宿泊予約要求情報送信手段と、を備えることを特徴とする。
【００１０】
請求項２に記載の発明は、複数の宿泊部屋を備える宿泊施設に関する情報をネットワークを介して端末装置に提供し、当該端末装置からの要求に応じて宿泊予約登録を行う宿泊予約登録装置であって、各前記宿泊部屋の配置位置を示す配置データと、前記各宿泊部屋における部屋内を表す部屋内画像のデータと、が対応付けられ、複数の宿泊施設毎に判別可能に登録されるデータベースにアクセスするデータベースアクセス手段と、前記複数の宿泊施設のうちユーザにより指定された一の宿泊施設を示す宿泊施設指定情報を、前記端末装置から前記ネットワークを介して受信する宿泊施設指定情報受信手段と、前記宿泊施設指定情報に示された前記宿泊施設に対応する前記配置データを前記データベースから取得し、当該配置データに示される前記各宿泊部屋の配置位置を表し、且つ前記各宿泊部屋を指定可能とする宿泊部屋の一覧画面を構成するための一覧画面データを、前記ネットワークを介して前記端末装置に送信する一覧画面送信手段と、前記端末装置において表示された前記一覧画面上に配置位置が表された前記複数の宿泊部屋のうちユーザにより指定された一の宿泊部屋を示す宿泊部屋指定情報を、当該端末装置から前記ネットワークを介して受信する宿泊部屋指定情報受信手段と、前記宿泊部屋指定情報に示された宿泊部屋に対応する前記部屋内画像のデータを前記データベースから取得し、当該部屋内画像が含まれる宿泊部屋画面を構成するための宿泊部屋画面データを、前記ネットワークを介して前記端末装置に送信する宿泊部屋画面送信手段と、前記端末装置において表示された前記部屋内画像に対応する宿泊部屋の宿泊予約要求を示す宿泊予約要求情報を、当該端末装置から前記ネットワークを介して受信する宿泊予約要求受信手段と、前記宿泊予約要求情報を送信した前記端末装置のユーザを特定し、当該ユーザに対して、当該宿泊予約要求情報に示される宿泊部屋の宿泊予約登録を行う宿泊予約登録手段と、を備えることを特徴とする。
【００１１】
請求項１及び請求項２に記載の発明によれば、宿泊予約登録装置は、前記複数の宿泊施設のうちユーザにより指定された一の宿泊施設を示す宿泊施設指定情報を、前記端末装置から前記ネットワークを介して受信すると、当該宿泊施設指定情報に示された前記宿泊施設に対応する前記配置データを前記データベースから取得し、当該配置データに示される前記各宿泊部屋の配置位置を表し、且つ前記各宿泊部屋を指定可能とする宿泊部屋の一覧画面を構成するための一覧画面データを、前記ネットワークを介して前記端末装置に送信する。そして、宿泊予約登録装置は、前記端末装置において表示された前記一覧画面上に配置位置が表された前記複数の宿泊部屋のうちユーザにより指定された一の宿泊部屋を示す宿泊部屋指定情報を、当該端末装置から前記ネットワークを介して受信すると、当該宿泊部屋指定情報に示された宿泊部屋に対応する前記部屋内画像のデータを前記データベースから取得し、当該部屋内画像が含まれる宿泊部屋画面を構成するための宿泊部屋画面データを、前記ネットワークを介して前記端末装置に送信する。そして、宿泊予約登録装置は、前記端末装置において表示された前記部屋内画像に対応する宿泊部屋の宿泊予約要求を示す宿泊予約要求情報を、当該端末装置から前記ネットワークを介して受信すると、当該宿泊予約要求情報を送信した前記端末装置のユーザを特定し、当該ユーザに対して、当該宿泊予約要求情報に示される宿泊部屋の宿泊予約登録を行う。
【００１２】
したがって、ユーザが所望の宿泊施設の宿泊部屋の予約をしたい場合に、当該宿泊施設における各宿泊部屋の配置位置と夫々の部屋内の様子を、ユーザに対して判りやすく、より効果的に提示することができる。よって、宿泊施設の利用頻度を向上させることができる。
【００１３】
請求項３に記載の発明は、請求項２に記載の宿泊予約登録装置において、前記データベースに登録された前記各部屋内画像は、所定位置に外部へ通じる窓が設置された部屋内を表す画像であって、当該各部屋内画像には、夫々の前記窓の位置から視認可能な部屋外の風景を表す風景画像のデータが対応付けられて前記データベースに登録されており、前記端末装置において表示された前記部屋内画像における前記窓が前記ユーザにより指定された場合に、当該指定された窓を示す窓指定情報を、当該端末装置から前記ネットワークを介して受信する窓指定情報受信手段と、前記窓指定情報に示された窓に対応する前記風景画像のデータを前記データベースから取得し、当該風景画像が含まれる風景画面を構成するための風景画面データを、前記ネットワークを介して前記端末装置に送信する風景画面送信手段と、を更に備えることを特徴とする。
【００１４】
請求項３に記載の発明によれば、宿泊予約登録装置が、端末装置において表示された前記部屋内画像における前記窓が前記ユーザにより指定された場合に、当該窓指定情報に示された窓に対応する前記風景画像のデータを前記データベースから取得し、当該風景画像が含まれる風景画面を構成するための風景画面データを、前記ネットワークを介して前記端末装置に送信するように構成したので、当該宿泊部屋の窓からどのような風景が見えるかをユーザに対して判りやすく、より効果的に提示することができる。
【００１５】
請求項４に記載の発明は、請求項３に記載の宿泊予約登録装置において、前記風景画像は、前記部屋内画像における前記窓領域の面積よりも広い面積を有することを特徴とする。
【００１６】
請求項４に記載の発明によれば、当該宿泊部屋の窓からの風景を、より見やすい形でユーザに提示することができる。
【００１７】
請求項５に記載の発明は、請求項３又は４に記載の宿泊予約登録装置において、前記データベースに登録された各前記風景画像には、内容を時間の経過にしたがって複数に区分可能な区分情報において当該区分された複数の区分内容のうち一の前記区分内容が割り当てられており、前記風景画面送信手段は、前記窓指定情報に示された窓に対応する前記風景画像を前記データベースから特定し、当該特定された風景画像に割り当てられた前記区分情報における区分内容が、現時点又は現時点から所定期間経過時点の前記区分情報における区分内容を満たす風景画像を選定し、前記選定された風景画像が含まれる風景画面を構成するための風景画面データを、前記ネットワークを介して前記端末装置に送信することを特徴とする。
【００１８】
請求項５に記載の発明によれば、当該宿泊部屋の窓から見える、例えば、季節毎、或いは天候毎の風景を、ユーザに対して判りやすく、より効果的に提示することができる。また、宿泊施設側による風景画像の更新作業の手間を低減することができる。
【００１９】
請求項６に記載の発明は、請求項５に記載の宿泊予約登録装置において、前記区分情報は、暦、時間帯、季節、気温、天候、及び行事のうち少なくとも何れか一つであることを特徴とする。
【００２０】
請求項７に記載の発明は、請求項５又は６に記載の宿泊予約登録装置において、前記区分情報には複数種類あり、前記風景画像に対して夫々の前記区分情報における一の区分内容が割り当てられており、前記風景画面送信手段は、前記特定された風景画像に割り当てられた夫々の区分情報における区分内容が、現時点又は現時点から所定期間経過時点の夫々の区分情報における区分内容を満たす風景画像を選定することを特徴とする。
【００２１】
請求項７に記載の発明によれば、一つの風景画像には、複数の区分情報における夫々の区分内容を割り当てることができるので、ユーザに対して、様々な状況に合った風景画像をより効果的に提供することができる。
【００２２】
請求項８に記載の発明は、複数の宿泊部屋を備える宿泊施設に関する情報をネットワークを介して端末装置に提供し、当該端末装置からの要求に応じて宿泊予約登録を行う宿泊予約登録装置における宿泊予約登録方法であって、各前記宿泊部屋の配置位置を示す配置データと、前記各宿泊部屋における部屋内を表す部屋内画像のデータと、が対応付けられ、複数の宿泊施設毎に判別可能に登録されるデータベースにアクセスするデータベースアクセス工程と、前記複数の宿泊施設のうちユーザにより指定された一の宿泊施設を示す宿泊施設指定情報を、前記端末装置から前記ネットワークを介して受信する宿泊施設指定情報受信工程と、前記宿泊施設指定情報に示された前記宿泊施設に対応する前記配置データを前記データベースから取得し、当該配置データに示される前記各宿泊部屋の配置位置を表し、且つ前記各宿泊部屋を指定可能とする宿泊部屋の一覧画面を構成するための一覧画面データを、前記ネットワークを介して前記端末装置に送信する一覧画面送信工程と、前記端末装置において表示された前記一覧画面上に配置位置が表された前記複数の宿泊部屋のうちユーザにより指定された一の宿泊部屋を示す宿泊部屋指定情報を、当該端末装置から前記ネットワークを介して受信する宿泊部屋指定情報受信工程と、前記宿泊部屋指定情報に示された宿泊部屋に対応する前記部屋内画像のデータを前記データベースから取得し、当該部屋内画像が含まれる宿泊部屋画面を構成するための宿泊部屋画面データを、前記ネットワークを介して前記端末装置に送信する宿泊部屋画面送信工程と、前記端末装置において表示された前記部屋内画像に対応する宿泊部屋の宿泊予約要求を示す宿泊予約要求情報を、当該端末装置から前記ネットワークを介して受信する宿泊予約要求受信工程と、前記宿泊予約要求情報を送信した前記端末装置のユーザを特定し、当該ユーザに対して、当該宿泊予約要求情報に示される宿泊部屋の宿泊予約登録を行う宿泊予約登録工程と、を備えることを特徴とする。
【００２３】
請求項９に記載の宿泊予約登録処理プログラムは、請求項２乃至７の何れか一項に記載の宿泊予約登録装置として機能させることを特徴とする。
【発明の効果】
【００２４】
本発明によれば、ユーザが所望の宿泊施設の宿泊部屋の予約をしたい場合に、当該宿泊施設における各宿泊部屋の配置位置と夫々の部屋内の様子を、ユーザに対して判りやすく、より効果的に提示することができる。よって、宿泊施設の利用頻度を向上させることができる。
【発明を実施するための最良の形態】
【００２５】
以下、図面を参照して本発明の最良の実施形態について詳細に説明する。
【００２６】
［１．宿泊予約登録システムの構成及び機能］
先ず、本発明の一実施形態に係る宿泊予約登録システムＳの構成及び機能について、図１を用いて説明する。
【００２７】
図１は、本実施形態に係る宿泊予約登録システムＳの概要構成例を示す図である。
【００２８】
図１に示すように、宿泊予約登録システムＳは、ホテルや旅館等の複数の宿泊部屋を備える宿泊施設に関する施設情報の提供及び宿泊予約の登録等を行う旅行代理店サーバ１（宿泊予約登録装置の一例）と、宿泊サービスの提供者により運営される宿泊施設の端末装置（以下、「施設端末」という）２−ｋ（ｋは１，２・・・ｍ）と、上記施設情報の提供等を受けるユーザの端末装置（以下、「ユーザ端末」という）３−ｊ（ｊは１，２・・・ｎ）と、を含んで構成されている。
【００２９】
旅行代理店サーバ１は、インターネット等のネットワークＮＷに接続されており、施設端末２−ｋ及びユーザ端末３−ｊは、例えばインターネットサービスプロバイダのサーバを通じてネットワークＮＷに接続可能になっている。これにより、旅行代理店サーバ１と、施設端末２−ｋ及びユーザ端末３−ｊとは、ネットワークＮＷを介して相互にデータの送受信（例えば、ＴＣＰ／ＩＰ（Transmission Control Protocol/Internet Protocol）プロトコルによる送受信）を行うことができる。
【００３０】
なお、図１の例では、一つの旅行代理店サーバ１を示したが、これに限定されるものではなく、複数のサーバ（例えば、施設情報提供サーバ、施設予約登録サーバ、データベースサーバ等）に機能分散するように構成しても良い。
【００３１】
また、施設端末２−ｋ及びユーザ端末３−ｊは、Ｗｅｂブラウザ（ソフト）がインストールされた例えばパーソナルコンピュータ（ＰＣ）又はＰＤＡ(Personal Digital Assistant)からなり、旅行代理店サーバ１からネットワークＮＷを介して提供されたＷｅｂページを表示部（例えば液晶ディスプレイ等）上に表示可能になっている。
【００３２】
なお、施設端末２−ｋ及びユーザ端末３−ｊとして、携帯電話機等を適用することもでき、この場合、インターネットと移動体通信網との間における通信を中継するゲートウェイサーバにより、通信プロトコルの変換が行われる。
【００３３】
このような宿泊予約登録システムＳにおいて、各宿泊施設（言い換えれば、各宿泊施設を運営する各提供者）には、夫々の宿泊施設を識別するため（夫々の宿泊施設に固有）の施設ＩＤと、パスワードが与えられる。そして、宿泊施設の施設端末２−ｋが旅行代理店サーバ１に接続後、当該旅行代理店サーバ１から提供された入力画面を通じて、宿泊施設の施設端末２−ｋのオペレータが、施設ＩＤ及びパスワードを入力、実行することによりログインすることができるようになっている。
【００３４】
また、会員登録をしたユーザには、夫々の会員を識別するため（夫々の会員に固有）の会員ＩＤと、パスワードが与えられる。そして、ユーザのユーザ端末３−ｊが旅行代理店サーバ１に接続後、当該旅行代理店サーバ１から提供された入力画面を通じて、ユーザ端末３−ｊのユーザが、自己の会員ＩＤ及びパスワードを入力、実行することによりログインすることができるようになっている。
【００３５】
次に、旅行代理店サーバ１の構成及び機能について、図２等を用いて説明する。
【００３６】
図２は、旅行代理店サーバ１の概要構成の一例を示すブロック図である。
【００３７】
図２に示すように、旅行代理店サーバ１は、オペレータ等からの操作指示を受け付け、その指示内容を指示信号としてシステム制御部２０に出力する操作部１１（例えば、キーボード、マウス等）と、文字や画像等の情報を表示する表示部１２（例えば、ＣＲＴ（Cathode Ray Tube）ディスプレイ、液晶ディスプレイ等）と、ネットワークＮＷに接続して施設端末２−ｋ又はユーザ端末３−ｊ等との通信状態を制御する通信部１３と、例えば、フレキシブルディスク、ＣＤ（Compact Disc）、ＤＶＤ（Digital Versatile Disc）等のディスクＤＫ（記録媒体）からデータ等を読み出す一方、当該ディスクＤＫに対してデータ等を記録するドライブ部１４と、オペレーティングシステム（Ｏ／Ｓ），各種プログラム（本発明の宿泊予約登録処理プログラムを含む）及びデータ等を記憶する記憶部１５（例えば、ハードディスクドライブ等）と、操作部１１乃至記憶部１５とシステム制御部２０との間のインタフェース処理を行う入出力インタフェース部１６と、ＣＰＵ（Central Processing Unit）１７，ＲＯＭ（Read Only Memory）１８，及びＲＡＭ（Random Access Memory）１９等を備えるシステム制御部２０と、を備え、システム制御部２０と入出力インタフェース部１６とは、システムバス２１を介して接続されている。
【００３８】
先ず、記憶部１５における記憶内容について詳しく説明する。
【００３９】
記憶部１５には、施設端末２−ｋ又はユーザ端末３−ｊに対して提供される各種Ｗｅｂページを構成するためのデータ（例えば、ＨＴＭＬ（Hyper Text Markup Language）データ等からなる）が記憶されている。
【００４０】
なお、記憶部１５に記憶される各種プログラムとしては、ＨＴＴＰ（HyperText Transfer Protocol）プロトコルを用いて施設端末２−ｋ又はユーザ端末３−ｊから送信された要求（リクエスト）に応じてＷｅｂページを生成（構成）し当該Ｗｅｂページを施設端末２−ｋ又はユーザ端末３−ｊ等に送信するためのＷＷＷ（World Wide Web）サーバプログラム、宿泊施設の予約登録等をネットワークＮＷを介してユーザ端末３−ｊからの要求（リクエスト）に応じて行うための宿泊予約登録処理プログラム、及び、施設情報の登録等をネットワークＮＷを介して施設端末２−ｋからの要求（リクエスト）に応じて行うための施設情報登録プログラム等が含まれる。
【００４１】
これらのプログラム等は、例えば、他のサーバ等からネットワークＮＷを介して取得されるようにしても良いし、ＣＤ−ＲＯＭ等のディスクＤＫ（記録媒体）に記録されてドライブ部１４を介して読み込まれるようにしても良い。
【００４２】
更に、記憶部１５には、宿泊施設情報データベース３１、及び会員情報データベース３２等が構築されている。
【００４３】
図３（Ａ）は、宿泊施設情報データベース３１に登録（記憶）された情報の内容の一例を示し、図３（Ｂ）は、会員情報データベース３２に登録（記憶）された情報の内容の一例を示す図である。
【００４４】
先ず、宿泊施設情報データベース３１には、図３（Ａ）に示すように、施設ＩＤ、パスワード、施設情報、及び宿泊予約状況（空室状況）等のデータが対応付けられ、宿泊施設毎（宿泊サービスの提供者毎）に判別可能に登録されている。これらのデータは、例えば、各宿泊施設のオペレータの操作により施設端末２−ｋが旅行代理店サーバ１に接続され、新規登録（施設ＩＤ及びパスワードの発行）が行われる際、又はその後に、各オペレータにより入力され、宿泊施設情報データベース３１に登録される。
【００４５】
上記宿泊予約状況には、例えば、各部屋毎に、宿泊予約日及び予約登録した会員の会員ＩＤ等が含まれている（会員の予約登録により変化する）。
【００４６】
また、施設情報には、例えば、基本情報、詳細情報、宿泊施設の外観画像（ＧＩＦファイルやＪＰＥＧファイル等の画像ファイル）、宿泊施設における各宿泊部屋の配置位置を示す配置データ、及び宿泊部屋情報が含まれる。基本情報には、宿泊施設の住所、電話番号、交通アクセス等の情報が含まれ、詳細情報には、宿泊部屋の部屋数、設備、備品、特典等の情報が含まれる。
【００４７】
また、宿泊部屋情報は、各宿泊部屋毎に登録可能になっており、当該宿泊部屋情報には、夫々の宿泊部屋を識別するため（夫々の宿泊部屋に固有）の部屋ＩＤ、部屋名（或いは、部屋番号）、当該部屋内を表す部屋内画像（ＧＩＦファイルやＪＰＥＧファイル等の画像ファイル）、及び当該部屋から見える風景を表す風景画像（ＧＩＦファイルやＪＰＥＧファイル等の画像ファイル）等のデータが含まれている（つまり、部屋ＩＤ、部屋内画像、及び風景画像は対応付けられて登録されている）。
【００４８】
上記風景画像は、宿泊部屋内の所定位置に設置された、外部へ通じる窓（例えば、透明なガラス窓）の位置から視認可能な部屋外の風景を表しており、宿泊部屋毎に複数登録可能（例えば、当該宿泊部屋の窓位置から、夏に撮影された風景、冬に撮影された風景、夜に撮影された風景等）になっている。
【００４９】
また、各風景画像には、ファイル名、サムネイル名、写真説明、部屋区分、選定区分等の情報が割り当て可能になっている。
【００５０】
ここで、部屋区分は、登録するべき風景画像を、どの宿泊部屋に対応付けるかを決めるための情報であり、例えば、部屋名等で表される。
【００５１】
選定区分は、ある宿泊部屋に対応する複数の風景画像のうちからユーザに対して提示する風景画像を選定するために用いられる情報であり、これには、例えば、暦区分、季節区分、天候区分、気温区分、時間帯区分、月日区分、行事（年中行事）区分など、複数種類ある。
【００５２】
暦区分は、暦（内容を時間の経過にしたがって複数に区分可能な区分情報の一例）において例えば「１月」，「２月」，「３月」…に区分された複数の内容（以下、「区分内容」という）のうち、何れか一の区分内容（例えば、「２月」）を示す。また、季節区分は、季節（上記区分情報の一例）における例えば「春：３月〜５月」，「夏：６月〜８月」，「秋：９月〜１１月」，「冬：１２月〜２月」等の複数の区分内容のうち、何れか一の区分内容（例えば、「冬：１２月〜２月」）を示す。また、天候区分は、天候（上記区分情報の一例）における例えば「晴」，「曇」，「雨」，「雪」等の複数の区分内容のうち、何れか一の区分内容（例えば、「晴」）を示す。また、気温区分は、気温（上記区分情報の一例）における例えば「０°Ｃ未満」，「０°Ｃ以上１０°Ｃ未満」，「１０°Ｃ以上２０°Ｃ未満」，「２０°Ｃ以上３０°Ｃ未満」，「３０°Ｃ以上」等の複数の区分内容のうち、何れか一の区分内容（例えば、「０°Ｃ以上１０°Ｃ未満」）を示す。また、時間帯区分は、時間帯（上記区分情報の一例）における例えば「６時〜１３時前まで」，「１３時〜１６時前まで」，「１６時〜１９時前まで」，「１９時〜６時前まで」等の複数の区分内容のうち、何れか一の区分内容（例えば、「１３時〜１６時前まで」）を示す。また、月日区分（暦区分とも言える）は、月日（上記区分情報の一例）における例えば「３月２１日」，「５月５日」，「９月２３日」，「１１月２３日」等の複数の区分内容のうち、何れか一の区分内容（例えば、「５月５日」）を示す。また、行事（年中行事）区分は、年中行事（上記区分情報の一例）における例えば「お正月」，「ゴールデンウイーク」，「お盆」，「クリスマス」等の複数の区分内容のうち、何れか一の区分内容（例えば、「クリスマス」）を示す。
【００５３】
図４は、ある宿泊部屋に対応する風景画像に割り当てられた区分内容の一例を示す図である。
【００５４】
図４（Ａ）に示す例では、風景画像Ａに対して、行事区分（行事における区分内容）として「お正月（１月１日〜３日）」が割り当てられており、図４（Ｂ）に示す例では、風景画像Ｂに対して、季節区分（季節における区分内容）として「冬：１２月〜２月」と、天候区分（天候における区分内容）として「晴」が割り当てられており、図４（Ｃ）に示す例では、風景画像Ｃに対して、季節区分（季節における区分内容）として「冬：１２月〜２月」と、天候区分（天候における区分内容）として「曇又は雨」が割り当てられている。
【００５５】
このように、一つの風景画像に対して、暦、季節、天候、気温、時間帯、月日、行事のうちのどの区分情報における区分内容を割り当てるかは宿泊施設毎（提供者毎）に任意であり、図４（Ａ）に示すように一つの区分情報における一の区分内容を割り当てるようにしても良いし、図４（Ｂ）等に示すように複数の区分情報（つまり、区分情報の組み合わせ）の夫々における一の区分内容を割り当てるようにしても良い。
【００５６】
次に、会員情報データベース３２には、図３（Ｂ）に示すように、会員ＩＤ、パスワード、氏名、郵便番号、住所、電子メールアドレス、生年月日、性別、クレジットカード番号、有効期限（クレジットカードの有効期限）、宿泊施設予約情報等のデータが対応付けられ、会員毎に判別可能に登録されている。これらデータは、例えば、各ユーザの操作によりユーザ端末３−ｊから旅行代理店サーバ１に接続され、新規登録（会員ＩＤ及びパスワードの発行）が行われる際に、又はその後に、各ユーザにより入力され、会員情報データベース３２に登録される。
【００５７】
上記宿泊施設予約情報には、例えば、会員が予約登録した宿泊施設の施設ＩＤ及び宿泊予約日等が含まれている（会員の予約登録により変化する）。
【００５８】
なお、宿泊施設情報データベース３１及び会員情報データベース３２は、旅行代理店サーバ１内に備えられることに限定されるものではなく、他のサーバ、例えばデータベースサーバ内に備えられるものであって良く、また、夫々のデータベースが別々のサーバに備えられるものであっても良い。また、会員情報データベース３２とは別に、会員宿泊関連情報データベースを設け、上記宿泊施設予約情報を会員情報データベース３２ではなく、会員宿泊関連情報データベースに登録（会員ＩＤに対応付けて登録）するように構成しても良い。
【００５９】
次に、システム制御部２０における機能（特に、本発明に関する部分）についての概要を説明する。
【００６０】
システム制御部２０は、ＣＰＵ１７が、ＲＯＭ１８や記憶部１５に記憶された各種プログラムを読み出し実行することにより、旅行代理店サーバ１における各部を制御すると共に、本発明におけるデータベースアクセス手段、宿泊施設指定情報受信手段、一覧画面送信手段、宿泊部屋指定情報受信手段、宿泊部屋画面送信手段、宿泊予約要求受信手段、宿泊予約登録手段、窓指定情報受信手段、及び風景画面送信手段等として機能し、後述する各種処理を行うようになっている。
【００６１】
より具体的には、システム制御部２０は、複数の宿泊施設のうちユーザにより指定された一の宿泊施設を示す宿泊施設指定情報を、ユーザ端末３−ｊからネットワークＮＷを介して受信した場合に、当該宿泊施設指定情報に示された宿泊施設（例えば、施設ＩＤ）に対応する配置データ（当該宿泊施設における各宿泊部屋の配置位置を示す）を宿泊施設情報データベース３１から取得し、当該配置データに示される各宿泊部屋の配置位置を表し、且つ当該各宿泊部屋を指定可能とする宿泊部屋の一覧画面を構成するための一覧画面データ（以下、「宿泊部屋一覧ページデータ」という、例えば、図９に示すようなページ（詳細は後述）を構成するデータ）を、ネットワークＮＷを介して上記ユーザ端末３−ｊに送信する（当該ユーザ端末３−ｊにより受信される）。
【００６２】
そして、システム制御部２０は、上記ユーザ端末３−ｊにおいて表示された上記一覧画面上における複数の宿泊部屋（配置位置が表される）のうちユーザにより指定された一の宿泊部屋を示す宿泊部屋指定情報を、当該ユーザ端末３−ｊからネットワークＮＷを介して受信した場合に、当該宿泊部屋指定情報に示された宿泊部屋に対応する部屋内画像のデータを宿泊施設情報データベース３１から取得し、当該部屋内画像が含まれる宿泊部屋画面を構成するための宿泊部屋画面データ（以下、「宿泊部屋ページデータ」という、例えば、図１０に示すようなページ（詳細は後述）を構成するデータ）を、ネットワークＮＷを介して上記ユーザ端末３−ｊに送信する（当該ユーザ端末３−ｊにより受信される）。
【００６３】
そして、システム制御部２０は、上記ユーザ端末３−ｊにおいて表示された部屋内画像に対応する宿泊部屋の宿泊予約要求を示す宿泊予約要求情報を、当該ユーザ端末３−ｊからネットワークＮＷを介して受信した場合に、当該宿泊予約要求情報を送信したユーザ端末３−ｊのユーザ（例えば、会員ＩＤ）を特定し、当該ユーザに対して、当該宿泊予約要求情報に示される宿泊部屋の宿泊予約登録（例えば、宿泊予約日等の登録）を行うようになっている。
【００６４】
更に、システム制御部２０は、上記ユーザ端末３−ｊにおいて表示された部屋内画像における窓部分がユーザにより指定された場合に、当該指定された窓を示す窓指定情報（例えば、当該宿泊部屋に対応する部屋ＩＤ）を、当該ユーザ端末３−ｊからネットワークＮＷを介して受信し、当該窓指定情報に示された窓に対応する風景画像のデータを、宿泊施設情報データベース３１から特定、取得し、当該風景画像が含まれる風景画面を構成するための風景画面データ（以下、「部屋外風景ページデータ」という、例えば、図１１に示すようなページ（詳細は後述）を構成するデータ）を、上記ユーザ端末３−ｊに送信する（当該ユーザ端末３−ｊにより受信される）ようになっている。
【００６５】
ここで、システム制御部２０は、宿泊施設情報データベース３１から特定した風景画像が複数ある場合、これらの風景画像に割り当てられた区分情報における区分内容が、現時点又は現時点から所定期間（当該期間は任意に設定でき、例えば、１週間、又は３ヶ月）経過時点の区分情報における区分内容を満たす風景画像を一つ選定し、当該選定した風景画像が含まれる部屋外風景ページデータを送信するようになっている。
【００６６】
例えば、特定された風景画像に対して季節区分として例えば「冬：１２月〜２月」が割り当てられており、現時点又は現時点から所定期間経過時点の季節区分（季節における区分内容）が例えば「冬（１２月〜２月であることが予め設定されている）」であった場合、当該風景画像は、現時点又は現時点から所定期間経過時点の区分情報における区分内容を満たすので、選定されることになる。一方、例えば、風景画像に対して季節区分として例えば「冬：１２月〜２月」が割り当てられているが、現時点又は現時点から所定期間経過時点の季節区分（季節における区分内容）が例えば「夏」であった場合、当該風景画像は、現時点又は現時点から所定期間経過時点の区分情報における区分内容を満たさないので、選定されないことになる。
【００６７】
ここで、「現時点」は、例えば、システム制御部２０が、上記風景画像に割り当てられた区分情報における区分内容が現時点の区分情報における区分内容を満たすか否かを判断する時点、或いは、現時点が含まれる現在日における何れかの時点（例えば、現在日が６月２日であった場合、当該現在日における午前０時）に設定される。
【００６８】
また、現時点から所定期間における「所定期間」は、例えば宿泊施設側の要求に応じて旅行代理店サーバ１のオペレータにより任意に設定でき、１週間又は３ヶ月に設定される。これにより、宿泊施設側は、施設情報を強調したい時期に該当する風景画像をユーザに対して提供することができる。
【００６９】
また、上記窓指定情報を送信したユーザ端末３−ｊのユーザが、当該宿泊施設の宿泊予約をしている場合、その宿泊予約日の時点を、上記「現時点から所定期間経過時点」として設定されるように構成しても良い。
【００７０】
また、現時点又は現時点から所定期間経過時点の暦区分、季節区分、及び月日区分については、例えば、旅行代理店サーバ１における時計機能により得られる年月日や時刻から認識（システム制御部２０により）される。なお、現時点の時間帯区分についても、例えば、旅行代理店サーバ１における時計機能により得られる時刻から認識できるが、現時点から所定期間経過時点の時間帯区分については認識できないので、この場合、システム制御部２０が、例えば、上記風景画像に割り当てられた時間帯区分が、現時点から所定期間経過時点の時間帯区分を満たすと判断するように設定しても良いし、或いは逆に、満たさないと判断するように設定しても良い。
【００７１】
また、現時点又は現時点から所定期間経過時点の行事（年中行事）区分については、上記時計機能により得られる年月日や時刻と、予め設定された、月日に割り当てられた行事（年中行事）区分を示す情報とから認識される。
【００７２】
また、現時点又は現時点から所定期間経過時点の天候区分及び気温区分については、例えば天気予報（予想天気、予想気温（例えば、平均気温）等の情報を含む）を管理している他のサーバから当該天気予報を取得することにより認識される。ただし、当該「所定期間」が３ヶ月等のように長く設定されると、現時点から所定期間経過時点の天候区分及び気温区分を認識することができなくなるので、この場合、システム制御部２０が、例えば、上記風景画像に割り当てられた天候区分又は気温区分が、現時点から所定期間経過時点の天候区分又は気温区分を満たすと判断するように設定しても良いし、或いは逆に、満たさないと判断するように設定しても良い。
【００７３】
なお、特定された風景画像に対して複数の選定区分（例えば、季節区分と天候区分）が割り当てられている場合には、夫々の選定区分が、現時点又は現時点から所定期間経過時点の夫々の区分内容（画像に対して割り当てられている区分情報に限る）を満たすか否かが判断されることになる。
【００７４】
［２．宿泊予約登録システムの動作］
次に、本実施形態に係る宿泊予約登録システムＳの動作について説明する。
【００７５】
（２．１  風景画像登録時の動作）
先ず、図５及び図６を用いて、風景画像の登録時の動作について説明する。
【００７６】
図５は、ある施設端末２−ｋと旅行代理店サーバ１における情報のやり取り及び夫々における処理を示す図である。図６は、施設端末２−ｋの表示部に表示される風景画像登録ページの一例を示す図である。
【００７７】
なお、この動作の前提として、ある施設端末２−ｋが旅行代理店サーバ１に接続してログインが行われており、当該施設端末２−ｋの表示部上には、旅行代理店サーバ１から提供された、施設情報を追加登録又は変更登録するための施設情報登録ページ（図示せず）が表示されているものとする（ステップＳ０）。
【００７８】
このような施設情報登録ページ上には、風景画像登録ボタンが表示されており、施設端末２−ｋのオペレータが操作部を操作して当該風景画像登録ボタンを指定すると（例えばマウスによりクリック）、施設端末２−ｋは、ネットワークＮＷを介して旅行代理店サーバ１に対して風景画像登録ページの要求（風景画像登録ページ（風景画像の登録画面）要求を示す風景画像登録画面要求情報を送信）する（ステップＳ１）。
【００７９】
一方、旅行代理店サーバ１は、上記風景画像登録ページの要求を受信すると、風景画像登録ページデータ（上記風景画像及び当該風景画像に対して割り当てるべき、区分情報における一の区分内容を指定するための指定欄が少なくとも設けられた表示画面を構成する風景登録画面データ）を記憶部１５から取得し（ステップＳ２）、これを施設端末２−ｋ（風景画像登録画面要求情報をした施設端末２−ｋ）に送信する（ステップＳ３）。
【００８０】
一方、上記施設端末２−ｋは、風景画像登録ページデータを受信すると、その風景画像登録ページを、Ｗｅｂブラウザにより表示部上に表示する（ステップＳ４）。
【００８１】
こうして表示された風景画像登録ページ６１には、図６に示すように、所望の風景画像のパスを指定するためのパス指定欄２０１と、風景画像のパスを参照するための参照ボタン２０２が設けられている。施設端末２−ｋのオペレータが、操作部を操作して参照ボタン２０２を指定（例えば、マウスによりクリック）すると、複数の風景画像のパスが表示され、そのうち一つのパスを選択することにより、当該選択された風景画像のパスがパス指定欄２０１に入力表示されることになる。これにより当該施設端末２−ｋのオペレータは所望の風景画像を指定することができる。つまり、各宿泊施設側は、各宿泊部屋の窓の位置から見える風景の写真を、様々な状況等において多く撮影してその風景画像を宿泊部屋毎に区別して記憶しておき、その中から所望の風景画像を指定することができるのである。
【００８２】
更に、風景画像登録ページ６１には、上記指定された風景画像に対して割り当てるべき、ファイル名、サムネイル名、写真説明、部屋区分（例えば、指定された風景画像が撮影された部屋名等）、及び選定区分（この例では、季節区分、天候区分、行事区分、時間帯区分、月日区分、気温区分）を指定するための指定欄２０３乃至２１３が設けられている。
【００８３】
ファイル名指定欄２０３、サムネイル名指定欄２０４、及び写真説明指定欄２０５には、施設端末２−ｋのオペレータのキーボードの操作により、ファイル名、サムネイル名、及び写真説明が夫々入力、指定されることになる。
【００８４】
一方、部屋区分指定欄２０６、季節区分指定欄２０７、天候区分指定欄２０８、行事区分指定欄２０９、時間帯区分指定欄２１０、月日区分指定欄２１１、及び気温区分指定欄２１２には、夫々、選択項目リスト表示ボタン２１３乃至２１９が対応付けられて設けられている。施設端末２−ｋのオペレータが、操作部を操作して例えば選択項目リスト表示ボタン２１９を指定（例えば、マウスによりクリック）すると、図６に示すように、選択項目リスト２２０がプルダウン表示されることになり、かかる選択項目リスト２２０に含まれる複数の選択項目のうちから、何れか一つの選択項目を、例えばカーソル（例えば、選択項目リスト２２０においてハッチングされた部分）により選択することにより、選択された選択項目が気温区分指定欄２１２に入力表示されることになる。これにより当該施設端末２−ｋのオペレータは上記指定された風景画像に対して割り当てる気温区分を指定することができる（部屋区分指定欄２０６、季節区分指定欄２０７、天候区分指定欄２０８、行事区分指定欄２０９、時間帯区分指定欄２１０、及び月日区分指定欄２１１についても同様）。つまり、各宿泊施設側は、上記指定した風景画像に見合った区分を指定（例えば、夏の日の写真画像であれば季節区分として「夏：６月〜８月」を指定し、雨の日の写真画像であれば天候区分として「雨」を指定し、お正月の写真画像であれば行事区分として「お正月」を指定）することができるのである。
【００８５】
なお、各区分（部屋区分及び選定区分）に対応する選択項目リストには、予め各区分に固有の選択項目が含まれるように設定されており、例えば、部屋区分に対応する選択項目リストには、予め登録された全ての宿泊部屋の部屋名（或いは、部屋番号）の選択項目が含まれ、季節区分に対応する選択項目リストには、「指定せず」,「春：３月〜５月」，「夏：６月〜８月」，「秋：９月〜１１月」，及び「冬：１２月〜２月」の選択項目が含まれるようになっている。また、季節区分、天候区分、行事区分、時間帯区分、及び月日区分に対応する選択項目リストには、夫々、「指定せず」という選択項目が含まれており、これが選択された区分は、上記指定された風景画像に割り当てられないことになる（図６の例では、選定区分のうち、季節区分と天候区分のみが風景画像に割り当てられる）。
【００８６】
そして、風景画像登録ページ６１上における各指定欄２０１,２０３乃至２１２を通じて風景画像及び当該風景画像に割り当てるファイル名、部屋区分及び選定区分等が指定された（ステップＳ５）後、施設端末２−ｋのオペレータが、操作部を操作してアップロードボタン２２１を指定（例えば、マウスによりクリック）すると、施設端末２−ｋは、ネットワークＮＷを介して旅行代理店サーバ１に対して、当該風景画像及び当該風景画像に割り当てられたファイル名、部屋区分及び選定区分等の登録（アップロード）要求（当該風景画像等を含み、当該風景画像等の登録要求を示す風景画像登録要求情報を送信）を行う（ステップＳ６）。
【００８７】
一方、上記施設端末２−ｋは、上記風景画像等の登録要求を受信（風景画像登録要求情報を受信）すると、上記要求に係る宿泊施設の施設ＩＤを認識（ログイン時の情報により）すると共に上記指定された部屋区分に対応する部屋ＩＤを認識し、上記受信された風景画像（上記風景画像登録要求情報に含まれる風景画像）を、当該認識した施設ＩＤ及び部屋ＩＤに対応付けて、宿泊施設情報データベース３１に登録する共に、当該風景画像に割り当てられたファイル名、部屋区分及び選定区分等の情報（上記風景画像登録要求情報に含まれる情報）を宿泊施設情報データベース３１に登録（アップロードの完了）する（ステップＳ７）。
【００８８】
以上の処理を繰り返し行わせることにより、各宿泊施設側は、宿泊部屋毎に、多くの風景画像及び夫々に割り当てる選定区分等を登録することができ、ユーザに提供される風景画像は、割り当てられた選定区分にしたがって自動的に切り替わることになる。
【００８９】
上記のように一旦登録された風景画像は、後から、要求により施設端末２−ｋに対して提供される登録画像一覧ページ上に選択可能にサムネイル表示されるようになっており、選択された風景画像の削除（登録の抹消）や、当該風景画像に割り当てられている選定区分の変更等を行うことができるようになっている。
【００９０】
（２．２  施設情報提供時の動作）
次に、図７乃至図１１を用いて、施設情報の提供時の動作について説明する。
【００９１】
図７は、あるユーザ端末３−ｊと旅行代理店サーバ１における情報のやり取り及び夫々における処理を示す図である。図８は、旅行代理店サーバ１における部屋外風景ページ生成処理の一例を示すフローチャートである。図９は、ユーザ端末３−ｊの表示部に表示される宿泊部屋一覧ページの一例を示す図であり、図１０は、ユーザ端末３−ｊの表示部に表示される宿泊部屋ページの一例を示す図であり、図１１は、ユーザ端末３−ｊの表示部に表示される部屋外風景ページの一例を示す図である。
【００９２】
なお、この動作の前提として、あるユーザ端末３−ｊが旅行代理店サーバ１に接続し（ここでは、ログインしているか否かは問わない）、当該ユーザ端末３−ｊの表示部上には、旅行代理店サーバ１から提供された、宿泊施設の検索ページが（図示せず）が表示されているものとする（ステップＳ１０）。
【００９３】
このような検索ページ上には、宿泊施設の検索条件（例えば、キーワード、宿泊日程、宿泊料金範囲、宿泊地域等）を指定するための指定欄やボタンが設けられており、ユーザ端末３−ｊのユーザが操作部を操作して当該指定欄やボタンを通じて検索条件を指定すると（例えばマウスによりクリック）（ステップＳ１１）、ユーザ端末３−ｊは、ネットワークＮＷを介して旅行代理店サーバ１に対して、当該検索条件を含む宿泊施設の検索を要求する（ステップＳ１２）。
【００９４】
一方、旅行代理店サーバ１は、上記宿泊施設の要求を受信すると、上記検索条件を満たす宿泊施設を検索し、当該検索された宿泊施設の名称等の一覧（一つの宿泊施設も検索されない場合には、その旨の表示）が記述された検索結果ページを生成し（ステップＳ１３）、その検索結果ページデータをユーザ端末３−ｊに送信する（ステップＳ１４）。
【００９５】
一方、ユーザ端末３−ｊは、上記検索結果ページデータを受信すると、その検索結果ページを、Ｗｅｂブラウザにより表示部上に表示する（ステップＳ１５）。
【００９６】
こうして表示された検索結果ページには、図示しないが、検索された宿泊施設の名称（当該名称には施設ＩＤが対応付けられている）等の一覧が表示されており、宿泊施設の名称等は例えばマウスにより指定可能になっている。そして、ユーザ端末３−ｊのユーザが、操作部を操作して所望の宿泊施設の名称を指定（例えば、マウスによりクリック）すると（ステップＳ１６）、当該ユーザ端末３−ｊ（宿泊施設指定情報送信手段として機能）は、ネットワークＮＷを介して旅行代理店サーバ１に対して、当該指定された宿泊施設に係る宿泊部屋一覧ページを要求（例えば当該指定された宿泊施設の施設ＩＤを含み、ユーザにより指定された一の宿泊施設を示す宿泊施設指定情報を送信）する（ステップＳ１７）。
【００９７】
一方、旅行代理店サーバ１は、宿泊部屋一覧ページの要求を受信（上記宿泊施設指定情報を受信）すると、上記指定された宿泊施設の施設ＩＤを認識し、当該施設ＩＤに対応する配置データ、基本情報、及び宿泊施設の外観画像等の情報を宿泊施設情報データベース３１から取得し、当該取得した情報に基づき、上述した宿泊部屋一覧ページを生成し（ステップＳ１８）、その宿泊部屋一覧ページデータをユーザ端末３−ｊに送信する（ステップＳ１９）。
【００９８】
一方、ユーザ端末３−ｊ（一覧画面受信手段及び一覧画面表示手段として機能）は、上記宿泊部屋一覧ページデータを受信すると、その宿泊部屋一覧ページを、Ｗｅｂブラウザにより表示部上に表示する（ステップＳ２０）。
【００９９】
こうして、表示された宿泊部屋一覧ページ５１には、図９に示すように、宿泊施設の外観画像が表示される外観画像表示エリア１０１、基本情報が表示される基本情報表示エリア１０２、及び宿泊部屋一覧表示エリア１０３が設けられている。宿泊部屋一覧表示エリア１０３には、当該宿泊施設における各宿泊部屋の配置位置を表す配置図（部屋番号が表示）が表示されており、これらの宿泊部屋のうち部屋内画像が登録されている宿泊部屋の部屋番号についてはハイパーリンク情報が埋め込まれており、指定（例えばユーザがマウスによりクリック）可能となっている。
【０１００】
また、宿泊部屋一覧ページ５１には、「詳細情報」ボタン１１１、「部屋配置」ボタン１１２、及び「宿泊プラン一覧」ボタン１１３が設けられている。これらのボタンには、ハイパーリンク情報が埋め込まれており、当該ボタンが指定（例えば、ユーザがマウスによりクリック）されると他のページが旅行代理店サーバ１から提供される。例えば、「詳細情報」ボタン１１１が指定されると、宿泊施設情報データベース３１に登録された当該詳細情報が、宿泊部屋一覧表示エリア１０３上に表示された配置図に代えて表示される。また、かかる詳細情報が表示されたページにおいて「部屋配置」ボタン１１２が指定されると、図９に示す表示された宿泊部屋一覧ページ５１が表示されることになる。
【０１０１】
また、宿泊部屋一覧ページ５１における「宿泊プラン一覧」ボタン１１３が指定されると（例えば、ユーザがマウスによりクリック）、図示しない宿泊プラン一覧ページが表示され、当該宿泊プラン一覧ページを通じて、ユーザ端末３−ｊのユーザは操作部を操作して、最終的に、例えば、宿泊予約日、人数、部屋等を指定できるようになっている。
【０１０２】
そして、ユーザ端末３−ｊのユーザが、所望の宿泊部屋内の様子を見たい場合、操作部を操作して、宿泊部屋一覧表示エリア１０３に表示された、所望の宿泊部屋の部屋番号（例えば、５１１号室１０３ａ）を指定（例えば、マウスによりクリック）すると（ステップＳ２１）、当該ユーザ端末３−ｊ（宿泊部屋指定情報送信手段として機能）は、ネットワークＮＷを介して旅行代理店サーバ１に対して、当該指定された宿泊部屋に係る宿泊部屋ページを要求（例えば当該宿泊施設の施設ＩＤ及び当該指定された宿泊部屋の部屋ＩＤを含み、ユーザにより指定された一の宿泊部屋を示す宿泊部屋指定情報を送信）する（ステップＳ２２）。
【０１０３】
一方、旅行代理店サーバ１は、宿泊部屋ページの要求を受信（上記宿泊部屋指定情報を受信）すると、上記宿泊施設の施設ＩＤ及び上記指定された宿泊部屋の部屋ＩＤを認識し、当該施設ＩＤ及び部屋ＩＤに対応する部屋内画像等の情報を宿泊施設情報データベース３１から取得し、当該取得した情報に基づき、上述した宿泊部屋ページを生成し（ステップＳ２３）、その宿泊部屋ページデータをユーザ端末３−ｊに送信する（ステップＳ２４）。
【０１０４】
一方、ユーザ端末３−ｊ（宿泊部屋画面受信手段及び宿泊部屋画面表示手段として機能）は、上記宿泊部屋ページデータを受信すると、その宿泊部屋ページを、Ｗｅｂブラウザにより表示部上に表示する（ステップＳ２５）。
【０１０５】
こうして、表示された宿泊部屋ページ５２においては、図１０に示すように、図９に示す宿泊部屋一覧ページ５１における宿泊部屋一覧表示エリア１０３の代わりに、部屋内画像が表示された部屋内画像表示エリア１０４が設けられている（その他は同様）。
【０１０６】
この部屋内画像に対応して風景画像が登録されている場合には、当該部屋に設置された窓領域（部分）１０４ａが指定（例えばユーザがマウスによりクリック）可能になっており、ハイパーリンク情報が埋め込まれている。
【０１０７】
そして、宿泊部屋ページ５２における「宿泊プラン一覧」ボタン１１３が指定されると（例えば、ユーザがマウスによりクリック）、図示しない宿泊プラン一覧ページ（当該宿泊部屋の宿泊予約を行うためのページ）が表示され、当該宿泊プラン一覧ページを通じて、ユーザ端末３−ｊのユーザは操作部を操作して、最終的に、例えば、当該宿泊部屋の宿泊予約日、人数等を指定できるようになっている。
【０１０８】
そして、ユーザ端末３−ｊは、ネットワークＮＷを介して旅行代理店サーバ１に対して、上記指定された宿泊部屋の宿泊予約日、人数等と、当該宿泊施設の施設ＩＤ（部屋ＩＤを含めても良い）及び当該ユーザの会員ＩＤを含む、宿泊施設の予約登録の要求（予約登録要求情報を送信）を行う（図示を省略）。なお、ここで、ユーザがログインしていない場合には、ログインが促されログインした後に、宿泊施設の予約登録の要求がなされることになる。
【０１０９】
一方、旅行代理店サーバ１は、宿泊施設の予約登録の要求を受信（上記予約登録要求情報を受信）すると、宿泊施設の予約登録処理を実行する。具体的には、システム制御部２０は、当該要求から上記施設ＩＤ及び会員ＩＤを認識し、当該認識した施設ＩＤ及び会員ＩＤに対応付けて当該宿泊部屋の宿泊予約日等の情報を宿泊施設情報データベース３１及び会員情報データベース３２に登録する。
【０１１０】
そして、ユーザ端末３−ｊのユーザが、当該宿泊部屋における窓からの風景を見たい場合、操作部を操作して、部屋内画像表示エリア１０４に表示された部屋内画像における窓領域１０４ａを指定（例えば、ユーザはマウスによりアイコン１０４ｃを窓領域１０４ａ上に合わせてクリック）すると（ステップＳ２６）、当該ユーザ端末３−ｊは、ネットワークＮＷを介して旅行代理店サーバ１に対して、当該指定された窓に係る部屋外風景ページを要求（例えば当該宿泊施設の施設ＩＤ等を含み、ユーザにより当該指定された窓を示す窓指定情報（窓が１つの場合には、部屋ＩＤで良い）を送信）する（ステップＳ２７）。
【０１１１】
なお、１つの宿泊部屋に窓が２つ以上ある場合、夫々の窓に対して風景画像を宿泊施設情報データベース３１に登録しておき（この場合、各窓に対して窓ＩＤを付与して管理する）、指定された窓を示す窓指定情報として窓ＩＤとするように構成しても良い。
【０１１２】
一方、旅行代理店サーバ１は、部屋外風景ページの要求を受信（窓指定情報を受信）すると、部屋外風景ページ生成処理を開始する（ステップＳ２８）。
【０１１３】
当該部屋外風景ページ生成処理においては、図８に示すように、先ず、システム制御部２０は、上記部屋外風景ページの要求に係る宿泊施設の施設ＩＤ及び宿泊部屋の部屋ＩＤを認識する（ステップＳ１０３）。
【０１１４】
次いで、システム制御部２０は、認識した施設ＩＤ及び部屋ＩＤに対応付けられた風景画像（窓指定情報に示された窓に対応する風景画像）を、宿泊施設情報データベース３１から特定する（ステップＳ１０４）。
【０１１５】
次いで、システム制御部２０は、当該ユーザ端末３−ｊのユーザがログイン中であるか否かを判別する（ステップＳ１０５）。そして、当該ユーザがログイン中でない場合には（ステップＳ１０５：ＮＯ）、ステップＳ１０８に移行され、一方、当該ユーザがログイン中である場合には（ステップＳ１０５：ＹＥＳ）、システム制御部２０は、当該ユーザの会員ＩＤを認識し、当該認識した会員ＩＤに対応付けられ、且つ上記認識した施設ＩＤに対応付けられた宿泊予約日が会員情報データベース３２に登録されているか否かを判別する（ステップＳ１０６）。そして、宿泊予約日が会員情報データベース３２に登録されていない場合には（ステップＳ１０６：ＮＯ）、ステップＳ１０８に移行され、一方、当該宿泊予約日が登録されている場合には（ステップＳ１０６：ＹＥＳ）、システム制御部２０は、当該宿泊予約日の時点を、基準時点として設定し（ステップＳ１０７）、ステップＳ１１１に移行する。
【０１１６】
一方、ステップＳ１０８では、システム制御部２０は、現時点を基準とするか否かを判断する。ここで、現時点を基準とするか否かは、例えば旅行代理店サーバ１のオペレータにより予め任意に設定可能となっている。
【０１１７】
そして、現時点を基準とする場合（ステップＳ１０８：ＹＥＳ）、システム制御部２０は、現時点を基準時点として設定し（ステップＳ１０９）、ステップＳ１１１に移行する。一方、現時点を基準としない場合（ステップＳ１０８：ＮＯ）、システム制御部２０は、現時点から所定期間（例えば、１週間、又は３ヶ月）経過時点を基準時点として設定し（ステップＳ１１０）、ステップＳ１１１に移行する。
【０１１８】
そして、ステップＳ１１１では、システム制御部２０は、上記特定された風景画像のうちから一つ選択（例えば、各風景画像の登録順に）する。
【０１１９】
次いで、システム制御部２０は、当該風景画像に少なくとも一つの選定区分が割り当てられているか否かを判別し（ステップＳ１１２）、一つも割り当てられていない場合には（ステップＳ１１２：ＮＯ）、ステップＳ１１５に移行し当該風景画像を提供画像候補として選定し、一方、割り当てられている場合には（ステップＳ１１２：ＹＥＳ）、当該風景画像に割り当てられている全ての選定区分に対応する上記基準時点の区分情報における区分内容を取得する（ステップＳ１１３）。例えば、当該風景画像に対して季節区分及び天候区分が割り当てられている場合、上記基準時点の季節における区分内容と天候における区分内容が、上述したように、例えば天気予報等の情報を管理している他のサーバからネットワークＮＷを介して取得される。
【０１２０】
次いで、システム制御部２０は、当該風景画像に割り当てられている全ての選定区分が、上記取得した区分情報における区分内容を満たすか否かを判別し（ステップＳ１１４）、満たさない場合には（ステップＳ１１４：ＮＯ）、ステップＳ１１１に戻り、一方、満たす（例えば、当該風景画像に対して季節区分として「冬：１２月〜２月」が、天候区分として「晴」が夫々割り当てられており、基準時点の季節における区分内容が「冬：１２月〜２月」、基準時点の天候における区分内容が「晴」である場合、満たすことになる）場合には（ステップＳ１１４：ＹＥＳ）、当該風景画像を提供画像候補として選定する（ステップＳ１１５）。基準時点における区分内容は、その時によって変化しうるので、ここで選定される風景画像も、部屋外風景ページの要求をするときに応じて変化しうるものとなる。
【０１２１】
次いで、システム制御部２０は、上記特定した全ての風景画像が上記ステップＳ１１１にて選択されたか否かを判別し（ステップＳ１１６）、全ての風景画像が選択されていない場合には（ステップＳ１１６：ＮＯ）、ステップＳ１１１に戻り、全ての風景画像が選択された場合には（ステップＳ１１６：ＹＥＳ）、ステップＳ１１７に移行する。こうして、上記ステップＳ１０４で特定された全ての風景画像について上記ステップＳ１１２以降の処理が行われることになる。
【０１２２】
次いで、ステップＳ１１７では、システム制御部２０は、複数の提供画像候補が選定されたか否かを判別する。
【０１２３】
そして、システム制御部２０は、複数の提供画像候補が選定されていない場合には（ステップＳ１１７：ＮＯ）、当該提供画像候補を提供画像（風景画像）として選定し（ステップＳ１１８）、複数の提供画像候補が選定されている場合には（ステップＳ１１７：ＹＥＳ）、複数の提供画像候補から何れか一つの提供画像を選定（例えば、後から登録された風景画像を優先して選定）する（ステップＳ１１９）。
【０１２４】
そして、システム制御部２０は、上記選定した提供画像（風景画像）及びこれに割り当てられたファイル名、写真説明等の情報に基づき、上述した部屋外風景ページを生成し（ステップＳ１２０）、当該処理を終了する。なお、上記処理にて風景画像が一つも選定されない場合がありうるが、この場合、該当する風景画像が無い旨が部屋外風景ページに記述されることになる。
【０１２５】
そして、図７に戻り、旅行代理店サーバ１は、上記ステップＳ１２０にて生成された部屋外風景ページのデータをユーザ端末３−ｊに送信する（ステップＳ２９）。
【０１２６】
一方、ユーザ端末３−ｊは、上記部屋外風景ページデータを受信すると、その部屋外風景ページを、Ｗｅｂブラウザにより表示部上に表示する（ステップＳ３０）。
【０１２７】
こうして、表示された部屋外風景ページ５３においては、図１１に示すように、図１０に示す宿泊部屋ページ５２における部屋内画像表示エリア１０４の代わりに、風景画像が表示された風景画像表示エリア１０５が設けられている（その他は同様）。この風景画像は、上記部屋内画像における窓領域１０４ａの面積よりも広い面積を有しており、ユーザにとって、より見やすく拡大されるようになっている。また、当該風景画像表示エリア１０５内において、ユーザは例えばマウスにより風景画像を上下左右（符号１０５ａの矢印方向）にスクロールして表示させる（つまり、現在見えない部分を表示させる）ことが可能になっており、これにより、ユーザは、窓から見える風景を大いに堪能することができる。
【０１２８】
そして、部屋外風景ページ５３における「宿泊プラン一覧」ボタン１１３が指定されると（例えば、ユーザがマウスによりクリック）、図示しない宿泊プラン一覧ページ（当該宿泊部屋の宿泊予約を行うためのページ）が表示され、当該宿泊プラン一覧ページを通じて、ユーザ端末３−ｊのユーザは操作部を操作して、最終的に、例えば、当該宿泊部屋の宿泊予約日、人数等を指定できるようになっている。
【０１２９】
そして、ユーザ端末３−ｊは、ネットワークＮＷを介して旅行代理店サーバ１に対して、上記指定された宿泊部屋の宿泊予約日、人数等と、当該宿泊施設の施設ＩＤ（部屋ＩＤを含めても良い）及び当該ユーザの会員ＩＤを含む、宿泊施設の予約登録の要求（予約登録要求情報を送信）を行う（ステップＳ３１）。なお、ここで、ユーザがログインしていない場合には、ログインが促されログインした後に、宿泊施設の予約登録の要求がなされることになる。
【０１３０】
一方、旅行代理店サーバ１は、宿泊施設の予約登録の要求を受信（上記予約登録要求情報を受信）すると、宿泊施設の予約登録処理を実行する（ステップＳ３２）。具体的には、システム制御部２０は、当該要求から上記施設ＩＤ及び会員ＩＤを認識し、当該認識した施設ＩＤ及び会員ＩＤに対応付けて当該宿泊部屋の宿泊予約日等の情報を宿泊施設情報データベース３１及び会員情報データベース３２に登録する。
【０１３１】
以上説明したように、上記実施形態によれば、旅行代理店サーバ１は、ネットワークＮＷを介してユーザ端末３−ｊからの要求に応じてある宿泊施設における宿泊部屋の予約登録を行うため、当該ユーザ端末３−ｊに対して当該宿泊施設の各宿泊部屋の配置位置を表した宿泊部屋一覧ページを提供し、当該宿泊部屋一覧ページ上における複数の宿泊部屋のうちから一つの宿泊部屋がユーザにより指定された場合には、当該宿泊部屋に対応する部屋内画像を表した宿泊部屋ページを当該ユーザ端末３−ｊに対して提供するように構成したので、当該宿泊施設における各宿泊部屋の配置位置と夫々の部屋内の様子を、ユーザに対して判りやすく、より効果的に提示することができる。したがって、宿泊施設の利用頻度を向上させることができる。
【０１３２】
また、旅行代理店サーバ１は、当該ユーザ端末３−ｊに対して提供された宿泊部屋ページ上に表示された部屋内画像における窓領域が指定された場合に、当該窓から見える風景画像を表した部屋外風景ページを当該ユーザ端末３−ｊに対して提供するように構成したので、当該宿泊部屋の窓からどのような風景が見えるかをユーザに対して判りやすく、より効果的に提示することができる。したがって、宿泊施設の利用頻度をより向上させることができる。
【０１３３】
更に、旅行代理店サーバ１は、部屋外風景ページが要求された場合に、該当する複数の風景画像のうち、これらの風景画像に割り当てられた区分情報における区分内容が、現時点又は現時点から所定期間経過時点の区分情報における区分内容を満たす風景画像を一つ選定し、当該選定した風景画像を表した部屋外風景ページを提供するように構成したので、当該宿泊部屋の窓から見える、季節毎、或いは天候毎の風景を、ユーザに対して判りやすく、より効果的に提示することができる。したがって、宿泊施設の利用頻度をより向上させることができる。
【０１３４】
また、風景画像に割り当てられた選定区分と、現時点又は現時点から所定期間経過時点の区分情報における区分内容に応じて、上記風景画像を自動的に差し替えることができるので、宿泊施設側における更新作業の手間を低減することができる（例えば、宿泊施設側は、季節毎にその都度、毎回アップロードを行う必要はなく、予め選定区分を指定して数多く画像を登録しておけば良い）。
【０１３５】
また、宿泊施設情報データベース３１に登録する一つの風景画像には、季節区分、気温区分、天候区分等の組合せを割り当てることができるので、ユーザ端末３−ｊのユーザに対して、様々な状況に合った風景画像をより効果的に提供することができる。
【０１３６】
また、登録する風景画像に対して月日区分（例えば、６月２０日等任意の日）を割り当てることで、その風景画像を希望月日に（この場合、基準時点を現時点とする）提供することができる。また、登録する風景画像に暦区分として例えば、６月２０日〜３０日等の期間を割り当てれば、その風景画像を希望期間に提供することができる。
【０１３７】
また、ユーザ端末３−ｊのユーザが、部屋外風景ページに係る宿泊施設の予約登録をしている場合、その宿泊予約日の時点を、上記「現時点から所定期間経過時点」として設定可能としたので、ユーザは予約登録した後に部屋外風景ページの要求をした場合、その予約日の時点の区分情報における区分内容に見合った風景画像を閲覧することができ、非常に効果的である。
【０１３８】
また、上記実施形態において、本願の区分情報として、暦、季節、天候、気温、時間帯、月日、行事（年中行事）を例にとって説明したが、これらに限定されるものではなく、内容を時間の経過にしたがって複数に区分可能な情報であればどのような区分情報であっても適用可能である。
【０１３９】
また、上記実施形態においては、本願の宿泊予約登録装置として旅行代理店サーバ１を例にとって説明したが、これに限定されるものではなく、宿泊施設自身により運営されるＷｅｂサーバ等に対して適用することも可能である。
【図面の簡単な説明】
【０１４０】
【図１】本実施形態に係る宿泊予約登録システムＳの概要構成例を示す図である。
【図２】旅行代理店サーバ１の概要構成の一例を示すブロック図である。
【図３】（Ａ）は、宿泊施設情報データベース３１に登録（記憶）された情報の内容の一例を示し、（Ｂ）は、会員情報データベース３２に登録（記憶）された情報の内容の一例を示す図である。
【図４】ある宿泊部屋に対応する風景画像に割り当てられた区分内容の一例を示す図である。
【図５】ある施設端末２−ｋと旅行代理店サーバ１における情報のやり取り及び夫々における処理を示す図である。
【図６】施設端末２−ｋの表示部に表示される風景画像登録ページの一例を示す図である。
【図７】あるユーザ端末３−ｊと旅行代理店サーバ１における情報のやり取り及び夫々における処理を示す図である。
【図８】旅行代理店サーバ１における部屋外風景ページ生成処理の一例を示すフローチャートである。
【図９】ユーザ端末３−ｊの表示部に表示される宿泊部屋一覧ページの一例を示す図である。
【図１０】ユーザ端末３−ｊの表示部に表示される宿泊部屋ページの一例を示す図である。
【図１１】ユーザ端末３−ｊの表示部に表示される部屋外風景ページの一例を示す図である。
【符号の説明】
【０１４１】
１  旅行代理店サーバ
２−ｋ  施設端末
３−ｊ  ユーザ端末
１１  操作部
１２  表示部
１３  通信部
１４  ドライブ部
１５  記憶部
１６  入出力インタフェース
１７  ＣＰＵ
１８  ＲＯＭ
１９  ＲＡＭ
２０  システム制御部
２１  システムバス
３１  宿泊施設情報データベース
３２  会員情報データベース
ＮＷ  ネットワーク
Ｓ  宿泊予約登録システム
【図１】
2008052506.tif 000003
【図２】
2008052506.tif 000004
【図３】
2008052506.tif 000005
【図４】
2008052506.tif 000006
【図５】
2008052506.tif 000007
【図６】
2008052506.tif 000008
【図７】
2008052506.tif 000009
【図８】
2008052506.tif 000010
【図９】
2008052506.tif 000011
【図１０】
2008052506.tif 000012
【図１１】
2008052506.tif 000013